(57)【要約】【目的】本発明は、インターネットにおける情報検索システムに関する発明である。【構成】本発明である企業名称検索システムは、検索結果が類似商品を扱う企業の一覧若しくは、類似商品を扱う企業のホームページ内の特定のページとなる企業検索システムと前記類似商品等を扱うオークションサイトとからなり、前記検索システムによりインターネットにより企業のホームぺージを検索し、検索した結果をもとにオークションサイトのオークションに参加することを特徴とする企業名称検索システムの構成とした。【選択図】    図１
2004157779.tif 000002
【特許請求の範囲】
【請求項１】
検索結果が類似商品を扱う企業の一覧若しくは、類似商品を扱う企業のホームページ内の特定のページとなる企業検索システムと前記類似商品等を扱うオークションサイトとからなり、前記検索システムによりインターネットにより企業のホームぺージを検索し、検索した結果をもとにオークションサイトのオークションに参加することを特徴とする企業名称検索システム。
【発明の詳細な説明】
【０００１】
【発明が属する技術分野】
本発明は、インターネットにおける情報検索システムに関する発明である。
【０００２】
【従来の技術】
従来、インターネットでの検索エンジンでは、図６に示すように、キーワード入力欄９ｂにキーワードを入力して検索するという方法が取られており、また、オークションサイトは、図７、８に示すように、キーワードや条件を追加しながら絞り込んでゆく方法が取られていた。
【０００３】
図７に示した従来のオークションシステム１０は、まず検索画面（１）１０ａのカテゴリー表示（１）１２から、カテゴリーを選び次へ進む。本説明では「パソコン・家電」を選択した。ここでは、カテゴリーを選ばずにキーワード入力欄１１にキーワードを入力し、検索することもできる。次の検索画面（２）１０ｂでは、前記「パソコン・家電」を更にカテゴリー表示（２）１２ａした画面が現れ、「テレビ」を選択し次へ進んだ。この検索画面（２）１０ｂにおいても、キーワード入力欄１１ａがあり、キーワードを入力し検索することもできる。
【０００４】
検索画面（３）１０ｃでは、「更に条件入力」１２ｂ又は「メーカー検索」１２ｃを選ぶことができ、「更に条件入力」１２ｂを選んだ。検索画面（３）１０ｃでは、カテゴリー表示（３）１２ｄがあり、他の商品へ移ることもできる。次の検索画面（４）１０ｄでは、チェックボックス式の条件入力１２ｅをして最後の条件追加をすることができる。検索画面（４）１０ｄでは、チェックボックスを使用せずにキーワード入力欄１１ｂに直接入力して検索することもできる。以上の検索を重ねて出てくる画面が検索結果画面１０ｅであり、この画面は商品の写真１３と商品説明１３ａが一組となって一覧表示されるものである。
【０００５】
図８に示した従来のオークションシステム１４は、検索画面１４において、キーワード入力欄１５にキーワードを入力して検索するか、カテゴリー表示１６から、任意のカテゴリーを選び検索して次の画面へ進む。本説明では「テレビ」を選び検索結果一覧１４ｂへ進んだ。検索結果一覧１４ｂでは、前記検索画面１４ａでの条件を満たす商品の一覧１７が表示される。商品一覧が膨大な量となった場合に更に絞り込むためのキーワード入力欄１５ａが用意してある。
【０００６】
商品一覧１７には、写真の有無１７ａの表示、商品名１７ｂ、現在の金額１７ｃ、残り時間１７ｄが一組となって表示されている。この中から好きな商品を選び次へ進む。商品説明１４ｃでは、商品説明画面１８が表示され、その中には出品者の情報１８ａ、出品物の情報１８ｂ、商品の写真及び出品者からの説明１８ｃが表示されている。
【０００７】
【発明が解決しようとする課題】
しかしながら、従来の検索システム９では、企業や会社だけでなく、学校や個人のホームページも登録されているため、検索結果表示画面９ａのように一つのキーワードに対する検索結果９ｃが膨大な数となることがしばしばあり、また、検索結果９ｃの下に検索結果一覧９ｄが不規則に羅列されるため、欲しい情報を見つけ出すために、条件を増やし更に絞り込む必要があった。
【０００８】
しかし、それでも尚、膨大な量の検索結果９ｃに条件を加えて絞り込むにも検索結果はなかなか減らなかったり、条件を増やしすぎて該当ホームページが見つからなかったりと、時間がかかる上に効率的に情報を探す事が出来ないため、オークションサイトで見つけた商品に対する正しい商品情報を探すことに時間がかかり、効率的に出品されている商品の善し悪しを判断することができなかった。
【０００９】
そこで、本発明では、特定の商品に対して確かな情報をもつ製造元の情報を素早く検索する事ができる検索システムを提供することを目的としている。
【００１０】
【課題を解決するための手段】
本発明である企業名称検索システムは、検索結果が類似商品を扱う企業の一覧若しくは、類似商品を扱う企業のホームページ内の特定のページとなる企業検索システムと前記類似商品等を扱うオークションサイトとからなり、前記検索システムによりインターネットにより企業のホームぺージを検索し、検索した結果をもとにオークションサイトのオークションに参加することを特徴とする企業名称検索システムの構成とした。
【００１１】
【実施例】
以下に添付図面に基づき、本発明である企業名称検索システムについて詳細に説明する。
【００１２】
図１は、本発明である企業名称検索システムの流れを示した全体図である。本発明である企業名称検索システム１は、オークションサイト２と企業検索システム４からなり、利用者３は、オークションサイト２と企業検索システム４を効率的に利用できる。
【００１３】
企業検索システム４は、各方面の企業のホームページとリンクされており、本説明では、「旅行→ハワイで検索」５した場合と、「家電→テレビで検索」６した場合を例にして、企業検索システム４と企業のホームページとの関係を説明することとする。
【００１４】
図２は、本発明である企業名称検索システムと企業のホームぺージとの関係図である。図２に示すように、企業検索システム４より、検索画面４ａ→品目画面４ｂ（４ｄ）→企業一覧画面４ｃ（４ｅ）の流れに沿って条件を付けながら、関連している企業の一覧がでるまで絞っていく。
【００１５】
前記企業検索システム４内の検索画面４ａ、品目画面４ｂ、企業一覧画面４ｃは矢印ＡまたはＩ、及び矢印ＢまたはＪのように、行き来できる作りになっているが、この相互リンクに限るものではなく、一方向のリンクとしてもよい。
【００１６】
企業検索システム４の企業一覧画面４ｃ（４ｅ）で表示された企業は、検索画面４ａ及び品目画面４ｂ（４ｄ）の中で選択してきた条件を満たす企業であり、前記企業一覧画面４ｃに表示された任意の企業のホームページをクリックして進む矢印Ｃ若しくはＫの示すリンク先は、企業のＴＯＰページではなく、企業のホームページの中の検索条件を満たす企業の一定のページ７までジャンプする。
【００１７】
前記企業の一定のページ７は、企業がそれぞれ作成しているホームページの中の一つのページであるため、企業のＴＯＰページ又は別ページ８へもリンクされている場合があり、その場合、矢印ＧまたはＯに示すように前記企業の一定のページ７と前記企業のＴＯＰページ又は別ページ８は、双方向へ行き来でき、また、企業のホームページの構成が別ウインドウを開く形式で作られている場合は、矢印ＨまたはＰに示すように前記企業のＴＯＰページ又は別ページ８から前記企業の一定のページ７への方向のみ移動となることがあり、このような企業のホームぺージ内のリンクはホームページの作成方法により異なる。
【００１８】
企業検索システム４で検索できる企業が相互リンクされている場合は、矢印Ｆ及びＮのように企業検索システム４の企業一覧画面４ｃ（４ｅ）から企業のＴＯＰページ又は別ページ８へ移る事が可能であり、また、前記企業のＴＯＰページ又は別ページ８からは矢印Ｅ及びＭの示すように企業検索システム４の検索画面４ａへ移動する事ができる。しかし、前記企業検索システム４から企業へのリンクだけの場合は、企業一覧画面４ｃ（４ｅ）より繋がっている矢印ＦまたはＮのように、一方向へのジャンプしかできない。
【００１９】
次に図３及び図４を使用して、企業検索システム４での検索方法と、検索結果にでてくる企業のホームページとの関係を具体例を挙げて説明する事とする。図３は、本発明である企業名称検索システムの各ページの関係を示した図、図４は、本発明である企業名称検索システムの各ページの関係を示した図である。
【００２０】
図３では、前記図１に示した「旅行→ハワイで検索」５の各ページの関係を説明する。まず、検索画面４ａの「カテゴリーから選ぶ」から、「▲１▼旅行」をクリックし、品目画面４ｂへジャンプする。前記検索画面４ａと品目画面４ｂは、矢印Ａで示すように、行き来できるようになっている。
【００２１】
次に品目画面４ｂでは、「地域を選ぶ」から、目的地を選ぶが、本説明では「▲６▼ハワイ」を選択し、矢印Ｂの企業一覧画面４ｃへジャンプした。企業一覧画面４ｃは、前記、検索画面４ａで選択した▲１▼旅行と、品目画面４ｂで選択した▲６▼ハワイの条件を満たした商品を扱っている企業の一覧が検索結果として出てくる。
【００２２】
この企業一覧画面４ｃから検索画面４ａへ直接戻ることは可能であり、また前記検索画面４ａにおいて、「企業名又は品目を入力して検索」の欄に「ハワイ」と入力し、カテゴリーにおいて「▲１▼旅行」を選ぶことで、直接企業一覧画面４ｃへジャンプすることができるため、検索画面４ａと企業一覧画面４ｃは矢印Ｄの示すように、相互リンクの関係にあり、検索画面４ａから企業一覧画面４ｃへのジャンプもできる。ここまでが、企業検索システム４である。
【００２３】
次に前記企業一覧画面４ｃで出てきた企業から、任意の企業名をクリックし、その企業のホームページへジャンプする。本説明では、「▲１▼ａ企業」を選択し、矢印Ｃへ進み、ａ企業の一定のページ７ａへ進む。
【００２４】
ここで示されたａ企業の一定のページ７ａは、前記企業検索システム４での条件をクリアし、結果として出てきたａ企業のページであるため、「旅行」と「ハワイ」を扱ったａ企業ハワイのページまで直接ジャンプできる。
【００２５】
また、検索画面４ａにおいて「企業名又は品目を入力して検索」の欄に特定の企業名を入力して検索することで、企業一覧画面４ｃに特定の一社又は、関連する企業を含む数社のみを検索結果として表示することができ、矢印Ｆが示すように企業一覧画面４ｃより直接ａ企業のＴＯＰページ８ａへジャンプすることができる。
【００２６】
ａ企業の一定のページ７ａとａ企業のＴＯＰページ８ａとのリンクの関係は、企業のホームページの作成方法により異なり、前記ａ企業の一定のページ７ａと前記ａ企業のＴＯＰページ８ａが矢印Ｇのように相互リンクされ行き来できる場合と、矢印Ｈのように一方通行のリンクの場合などがある。
【００２７】
図４では、前記図１示した「家電→テレビで検索」６の各ページの関係を説明する。まず、検索画面４ａの「カテゴリーから選ぶ」から、「▲３▼家電」をクリックし、品目画面４ｄへジャンプする。前記検索画面４ａと品目画面４ｄは、矢印Ｉで示すように、行き来できるようになっている。
【００２８】
次に品目画面４ｄでは、「商品種類を選ぶ」から、商品種類を選ぶが、本説明では「▲１▼テレビ」を選択し、矢印Ｊの企業一覧画面４ｅへジャンプした。企業一覧画面４ｅは、前記検索画面４ａで選択した▲３▼家電と、品目画面４ｄで選択した▲１▼テレビの条件を満たした商品を扱っている企業の一覧が検索結果として出てくる。
【００２９】
この企業一覧画面４ｅから検索画面４ａへ直接戻ることは可能であり、また、前記検索画面４ａにおいて、「企業名又は品目を入力して検索」の欄に「テレビ」と入力し、カテゴリーにおいて「▲３▼家電」を選ぶことで、直接企業一覧画面４ｅへジャンプすることができるため、検索画面４ａと企業一覧画面４ｅは矢印Ｌの示すように、相互リンクの関係にあり、検索画面４ａから企業検索画面４ｅへのジャンプもできる。ここまでが、企業検索システム４である。
【００３０】
次に前記企業一覧画面４ｅで出てきた企業から、任意の企業名をクリックし、その企業のホームページへジャンプする。本説明では、「▲１▼ｄ企業」を選択し、矢印Ｋへ進み、ｄ企業の一定のページ７ｂへ進む。
【００３１】
ここで示されたｄ企業の一定のページ７ｂは、前記企業検索システム４での条件をクリアし、結果として出てきたｄ企業のページであるため、「家電」と「テレビ」を扱ったｄ企業テレビのページまで直接ジャンプできる。
【００３２】
また、検索画面４ａにおいて「企業名又は品目を入力して検索」の欄に特定の企業名を入力して検索することで、企業一覧画面４ｅに特定の一社又は、関連する企業を含む数社のみを検索結果として表示することができ、矢印Ｎが示すように企業一覧画面４ｅより直接ｄ企業のＴＯＰページ８ｂへジャンプすることができる。
【００３３】
ｄ企業の一定のページ７ｂとｄ企業のＴＯＰページ８ｂとのリンク関係は、企業のホームページの作成方法により異なり、前記ｄ企業の一定のページ７ｂと前記ｄ企業のＴＯＰページ８ｂが矢印Ｏのように相互リンクされ行き来できる場合と、矢印Ｐのように一方通行のリンクの場合などがある。
【００３４】
図５は、本発明である企業検索システムを構成する機器と機器を使用する環境と利用者との関係を示した図である。利用者３は、キーボード８ｇやマウス８ｆ、モニタ８の接続されたコンピューター本体（ＣＰＵ）８ｅをインターネット８ｃに接続し、オークションサイト２と企業検索システム４にアクセスする。
【００３５】
オークションサイト２で商品を探し、その商品情報を見たい場合に企業検索システム４で素早く検索し正しい情報を得る。また、逆に企業検索システム４を使用して見つけた商品などが、オークションサイト２で出品されていないかを調べるという利用方法もある。
【発明の効果】
本発明は、以上に説明したような構成であるから以下の効果が得られる。第１に、特定商品に対する検索結果がＵＲＬの羅列ではなく、製造販売元のホームページであるため、余計なホームページを特定商品の情報を得るまでの時間を短縮することができる。
【００３６】
第２に、オークションサイトでは、出品者の商品説明だけが商品を判断する基準であったが、素早く検索できる企業検索システムを併用することで、製品の発売元の商品説明を得る事ができ、オークションにおいてより安全に出品物を選ぶ事が出来る。
【図面の簡単な説明】
【図１】本発明である企業名称検索システムの流れを示した全体図である。
【図２】本発明である企業名称検索システムと企業のホームぺージとの関係図である。
【図３】本発明である企業名称検索システムの各ページの関係を示した図である。
【図４】本発明である企業名称検索システムの各ページの関係を示した図である。
【図５】本発明である企業検索システムを構成する機器を示すとともに、機器を使用する環境と利用者とインターネットとの関係を示した図である。
【図６】従来の検索システムの検査結果を表示した画面を示す図である。
【図７】従来のオークションシステムの流れを示した図である。
【図８】従来のオークションシステムの流れを示した図である。
【符号の説明】
１      企業名称検索システム
２      オークションサイト
３      利用者
４      企業検索システム
４ａ    検索画面
４ｂ    品目画面
４ｃ    企業一覧画面
４ｄ    品目画面
４ｅ    企業一覧画面
５      旅行→ハワイで検索
６      家電→テレビで検索
７      企業の一定のページ
７ａ    ａ企業の一定のページ
７ｂ    ｄ企業の一定のページ
８      企業のＴＯＰページ又は別ページ
８ａ    ａ企業ＴＯＰページ
８ｂ    ｄ企業ＴＯＰページ
８ｃ    インターネット
８ｄ    モニタ
８ｅ    コンピュータ本体
８ｆ    マウス
８ｇ    キーボード
９      従来の検索システム
９ａ    検索結果表示画面
９ｂ    キーワード入力欄
９ｃ    検索結果
９ｄ    検索結果一覧
１０      従来のオークションシステム
１０ａ    検索画面（１）
１０ｂ    検索画面（２）
１０ｃ    検索画面（３）
１０ｄ    検索画面（４）
１０ｅ    検索結果画面
１１      キーワード入力欄
１１ａ    キーワード入力欄
１１ｂ    キーワード入力欄
１２      カテゴリー表示（１）
１２ａ    カテゴリー表示（２）
１２ｂ    更に条件入力
１２ｃ    メーカー検索
１２ｄ    カテゴリー表示（３）
１２ｅ    条件入力
１３      写真
１３ａ    商品説明
１４      従来のオークションシステム
１４ａ    検索画面
１４ｂ    検索結果一覧
１４ｃ    商品説明
１５      キーワード入力欄
１５ａ    キーワード入力欄
１６      カテゴリー表示
１７      商品一覧
１７ａ    写真の有無
１７ｂ    商品名
１７ｃ    現在の金額
１７ｄ    残り時間
１８      商品説明画面
１８ａ    出品者の情報
１８ｂ    出品物の情報
１８ｃ    商品の写真及び出品者からの説明
【図１】
2004157779.tif 000003
【図２】
2004157779.tif 000004
【図３】
2004157779.tif 000005
【図４】
2004157779.tif 000006
【図５】
2004157779.tif 000007
【図６】
2004157779.tif 000008
【図７】
2004157779.tif 000009
【図８】
2004157779.tif 000010